(57)【要約】  本発明は、デバイス間直接通信を行うシステムで、複数の区間を有するフレーム構造を用いてデータをブロードキャストを行うための方法及び装置に関し、ブロードキャストのためのデバイスの方法は、ブロードキャストを行うデータが存在するか否かを決定する段階と、周辺デバイスに関する情報を探索する探索区間を介してブロードキャスト指示情報を周辺デバイスと交換する段階と、前記ブロードキャスト指示情報はデータブロードキャストの有無を示し、データ送信区間をブロードキャスト区間とユニキャスト区間とに区分する段階と、前記ブロードキャスト区間でブロードキャストされる信号を受信する段階と、を含む。
2014527780.tif 000002
【特許請求の範囲】
【請求項１】
デバイス間直接通信を行うシステムで、複数の区間を有するフレーム構造を用いてデータをブロードキャストするためのデバイスの方法であって、
ブロードキャストを行うデータが存在するか否かを決定する段階と、
周辺デバイスに関する情報を探索する探索区間を介してブロードキャスト指示情報を周辺デバイスと交換する段階であって、前記ブロードキャスト指示情報はデータブロードキャストの有無を示す、段階と、
データ送信区間をブロードキャスト区間とユニキャスト区間とに区分する段階と、
前記ブロードキャスト区間でブロードキャストされる信号を受信する段階と、を含むことを特徴とする方法。
【請求項２】
前記データ送信区間は、前記ブロードキャスト区間が前記データ送信区間の開始部分に位置するように前記ブロードキャスト区間と前記ユニキャスト区間とに区分されることを特徴とする請求項１に記載の方法。
【請求項３】
前記ブロードキャストを行うデータが存在する場合、データのブロードキャストに必要なリソースサイズと前記ブロードキャスト区間のリソースサイズとを比較する段階と、
前記データブロードキャストに必要なリソースサイズが前記ブロードキャスト区間のリソースサイズより大きい場合、リソースを拡張して使用することを決定する段階と、
前記データ送信区間のブロードキャスト区間を介してリソース拡張情報をブロードキャストする段階と、
前記ブロードキャスト区間で拡張されたリソースを利用して前記データをブロードキャストする段階と、をさらに含むことを特徴とする請求項１に記載の方法。
【請求項４】
前記リソース拡張情報は、前記ブロードキャスト区間の開始部分を介して送信することを特徴とする請求項３に記載の方法。
【請求項５】
前記ブロードキャスト区間の開始部分を介して周辺デバイスがリソースを拡張して使用するか否かを示すリソース拡張情報を受信する段階と、
前記デバイス及び前記周辺デバイスのリソース拡張情報に応じて前記データ送信区間でユニキャスト区間の開始位置を決定する段階と、をさらに含むことを特徴とする請求項３に記載の方法。
【請求項６】
前記ブロードキャストを行うデータが存在する場合、前記探索区間で交換した周辺デバイスのブロードキャスト指示情報に基づいて前記デバイスが前記ブロードキャスト区間でブロードキャストリソースを決定する段階をさらに含むことを特徴とする請求項３に記載の方法。
【請求項７】
前記ブロードキャストリソースを決定する段階は、
前記探索区間で交換した周辺デバイスのブロードキャスト指示情報に基づいてブロードキャストを行う周辺デバイスを確認する段階と、
ブロードキャストを行う周辺デバイス及び前記デバイスの優先順位に基づいて前記ブロードキャスト区間内で前記ブロードキャストを行う周辺デバイス及び前記デバイスそれぞれに対するリソースを順に決定する段階と、を含むことを特徴とする請求項６に記載の方法。
【請求項８】
前記ブロードキャストを行う周辺デバイス及び前記デバイスの優先順位は、前記探索区間で当該デバイスがブロードキャスト指示情報を送信したリソースのインデックスによって決定されることを特徴とする請求項７に記載の方法。
【請求項９】
前記ブロードキャストリソースを決定する段階は、
前記探索区間で交換した周辺デバイスのブロードキャスト指示情報に基づいてブロードキャストを行う周辺デバイスを確認する段階と、
ブロードキャストを行う複数のデバイスが前記ブロードキャスト区間内で同じリソースを利用することを決定する段階と、を含むことを特徴とする請求項６に記載の方法。
【請求項１０】
前記複数のデバイスが前記ブロードキャスト区間内で同じリソースを利用する場合、前記探索区間で周辺デバイスとの情報交換の際に使用したＩＤを用いてデータをスクランブル処理する段階をさらに含み、
前記ＩＤは、ＭＡＣアドレス（ＭＡＣ  ａｄｄｒｅｓｓ）、デバイスＩＤ、デバイスで動作中のアプリケーションＩＤのうちいずれか１つであることを特徴とする請求項９に記載の方法。
【請求項１１】
デバイス間直接通信を行うシステムで、複数の区間を有するフレーム構造を用いてデータをブロードキャストのためのデバイスの装置であって、
少なくとも１つの周辺デバイスに信号を送信し、少なくとも１つのデバイスから信号を受信することのうち少なくとも１つを行う送受信部と、
ブロードキャストを行うデータが存在するか否かを決定し、周辺デバイスに関する情報を探索する探索区間を介してブロードキャスト指示情報を周辺デバイスと交換し、前記ブロードキャスト指示情報はデータブロードキャストの有無を示し、データ送信区間をブロードキャスト区間とユニキャスト区間に区分し、前記ブロードキャスト区間でブロードキャストされる信号を受信するための機能を制御する制御部と、を含むことを特徴とする装置。
【請求項１２】
前記制御部は、
前記ブロードキャスト区間が前記データ送信区間の開始部分に位置するように前記データ送信区間をブロードキャスト区間と前記ユニキャスト区間とに区分することを特徴とする請求項１１に記載の装置。
【請求項１３】
前記制御部は、
前記ブロードキャストを行うデータが存在する場合、データのブロードキャストに必要なリソースサイズと前記ブロードキャスト区間のリソースサイズとを比較し、前記データブロードキャストに必要なリソースサイズが前記ブロードキャスト区間のリソースサイズより大きい場合、リソースを拡張して使用することを決定し、前記データ送信区間のブロードキャスト区間を介してリソース拡張情報をブロードキャストし、前記ブロードキャスト区間で拡張されたリソースを利用して前記データをブロードキャストするための機能を制御することを特徴とする請求項１１に記載の装置。
【請求項１４】
前記制御部は、
前記ブロードキャスト区間の開始部分を介して前記リソース拡張情報を送信するための機能を制御することを特徴とする請求項１３に記載の装置。
【請求項１５】
前記装置は、請求項５〜１０の一項に記載の方法を実行するように構成される請求項１３に記載の装置。
【発明の詳細な説明】
【技術分野】
【０００１】
本発明は、デバイス間直接通信を行うシステムに関し、特に、デバイス間直接通信を行うシステムにおけるブロードキャストのための方法及び装置に関する。
【背景技術】
【０００２】
通信機器及び通信システムの発達によって、ユーザは自分が希望する情報をいつでも容易に獲得し共有できるサービスを必要としている。最近、スマートフォン及びタブレットＰＣの登場により、無線通信システムを介して様々な情報を獲得及び共有できる環境が築かれている。しかし、従来の情報獲得及び共有方式は、インフラが構築済みの無線通信システムに限って適用可能であり、無線通信システムの複雑度や時間的な遅延によってリアルタイム情報を效率的に提供することが容易ではないという問題点がある。
【０００３】
よって、通信インフラが構築されていない空間でデバイス間に直接的に情報を共有してデバイス間の通信リンクを構成するデバイス間直接通信サービス（Ｄ２Ｄ）が台頭している。
【０００４】
デバイス間直接通信サービスをサポートするデバイスは、周辺デバイスとの同期を優先的に獲得した後、所定の時点で所定のリソースを介して周辺デバイスを探索して周辺デバイスの情報を獲得する。ここで、デバイス情報は、当該デバイスの識別情報、関心分野（ｉｎｔｅｒｅｓｔ）及びアプリケーションプログラム情報などを含む。その後、各デバイスは、獲得した周辺デバイス情報に基づいて直接通信を行おうとするデバイスとの接続のためにＣＩＤ（Ｃｏｎｎｅｃｔｉｏｎ  ＩＤ）を生成し、これに基づいて直接通信を行う。
【０００５】
上記のように、従来提供されていたデバイス間直接通信方式は、一方のデバイスが他方のデバイスと信号を送受信する一対一（１：１）型のユニキャスト通信に適合した通信方式であって、１つのデバイスが複数のデバイスに同時に信号を送信する一対多（１：Ｎ）型のブロードキャストには適合しない問題点がある。
【０００６】
すなわち、従来の方式に従ってブロードキャストを行う場合、１つのデバイスが複数のデバイスに信号を送受信するために複数のデバイスそれぞれに対するＣＩＤを生成しなければならないため非効率的であり、さらには、限定された数のＣＩＤをユニキャストＣＩＤとブロードキャストＣＩＤとに使い分けなければならないため、ＣＩＤ運用の側面で非効率的である。特に、ブロードキャストのためのＣＩＤを別に運用する場合、ブロードキャストＣＩＤの数をあらかじめ決定することは容易ではない短所があり、ブロードキャストＣＩＤの数を可変的に変更しようとする場合は、可変的なＣＩＤに対する別途のプロセスが必要であり、それによるオーバーヘッドが増加するようになるため、非効率が発生する。
【０００７】
したがって、デバイス間直接通信システムで、１つのデバイスが複数のデバイスに同時に信号を送信するブロードキャスト通信方案が提供される必要がある。
【０００８】
上記内容は、本明細書の理解を助けるための背景情報として提示されたものにすぎず、本明細書に関連づけられた先行技術として適用可能か否かについての決定及び証明は行われないものである。
【発明の概要】
【発明が解決しようとする課題】
【０００９】
本発明の目的は、デバイス間直接通信システムにおけるブロードキャスト方法及び装置を提供することにある。
【００１０】
本発明の他の目的は、デバイス間直接通信システムで、各デバイスが情報を共有するための周辺デバイスを探索する段階を介してブロードキャストの有無を知らせる方法及び装置を提供することにある。
【００１１】
本発明のさらに他の目的は、デバイス間直接通信システムで、データ送信区間のうち一部の区間をブロードキャストリソース区間に予め設定し、予め設定したリソース区間を介して各デバイスがブロードキャストを行う方法及び装置を提供することにある。
【００１２】
本発明のさらに他の目的は、デバイス間直接通信システムで、状況に応じて予め設定されたブロードキャストリソースを拡張し、ブロードキャストリソース拡張に応じてユニキャストリソース区間を決定する方法及び装置を提供することにある。
【００１３】
本発明のさらに他の目的は、デバイス間直接通信システムで、ブロードキャストを必要とする複数のデバイスが存在する場合、限定されたブロードキャストリソースを利用して各デバイスがブロードキャストを行う方法及び装置を提供することにある。
【課題を解決するための手段】
【００１４】
本発明の実施形態によれば、デバイス間直接通信を行うシステムで、複数の区間を有するフレーム構造を用いてデータをブロードキャストするためのデバイスの方法は、ブロードキャストを行うデータが存在するか否かを決定する段階と、周辺デバイスに関する情報を探索する探索区間を介して周辺デバイスとブロードキャスト指示情報を交換する段階と、前記ブロードキャスト指示情報はデータブロードキャストの有無を示し、データ送信区間をブロードキャスト区間とユニキャスト区間とに区分する段階と、前記ブロードキャスト区間でブロードキャストされる信号を受信する段階と、を含むことを特徴とする。
【００１５】
本発明の実施形態によれば、デバイス間直接通信を行うシステムで、複数の区間を有するフレーム構造を用いてデータをブロードキャストするためのデバイスの装置は、少なくとも１つの周辺デバイスに信号を送信して少なくとも１つのデバイスから信号を受信することのうち少なくとも１つを行う送受信部と、ブロードキャストを行うデータが存在するか否かを決定し、周辺デバイスに関する情報を探索する探索区間を介してブロードキャスト指示情報を周辺デバイスと交換し、前記ブロードキャスト指示情報はデータブロードキャストの有無を示し、データ送信区間をブロードキャスト区間とユニキャスト区間とに区分し、前記ブロードキャスト区間でブロードキャストされる信号を受信するための機能を制御する制御部と、を含むことを特徴とする。
【図面の簡単な説明】
【００１６】
【図１】本発明によるデバイス間直接通信を行うシステムにおけるフレーム構造を示す図である。
【図２】本発明の実施形態によるデバイス間直接通信システムにおけるデバイスのブロードキャスト手順を示す図である。
【図３】本発明の実施形態によるデバイス間直接通信システムにおけるデバイスのブロードキャストデータを受信する手順を示す図である。
【図４】本発明によるデバイス間直接通信システムにおけるデバイスのブロック構成を示す図である。
【発明を実施するための形態】
【００１７】
以下、本発明の好ましい実施形態を添付された図面を参照して説明する。なお、本発明を説明するに当たって、関連する公知の機能または構成に対する具体的な説明が本発明の要旨を不要に不明確にする可能性があると判断された場合、その詳細な説明は省略する。また、以下で記載される用語は、本発明における機能を考慮して定義された用語であって、これはユーザ、運用者の意図または慣例などによって異なることがある。したがって、その定義は本明細書全般にわたる内容に基づいて行われるべきである。
【００１８】
以下、本発明では、デバイス間直接通信システムにおけるブロードキャスト方法及び装置について説明する。特に、以下、本発明では、デバイス間直接通信システムで、デバイス間の通信のための別途のＣＩＤを生成することなく、１つのデバイスが複数のデバイスにブロードキャストを行う方法について説明する。
【００１９】
一般に、デバイス間直接通信システムで、各デバイスは、他のデバイスとの直接通信のために、所定の時点で所定のリソースを介して自らのデバイス情報をブロードキャストし、周辺デバイスからブロードキャストされた情報を受信して周辺デバイスと情報を共有する探索段階を行う。このような探索段階のブロードキャスト特性を用いて、本発明では、各デバイスが自らのデータブロードキャストの有無を周辺デバイス機器に知らせることができる。すなわち、本発明では、各デバイスが前記探索段階で自らの機器情報をブロードキャストする際、ブロードキャスト指示子を含めてブロードキャストすることで、周辺デバイスが自らのブロードキャストの有無を認知できるようにした後、所定のデータ送信リソースを介して信号をブロードキャストする方式を提案する。前記ブロードキャスト指示子は、データ送信区間の間にデータがブロードキャストされるか否かを示す。
【００２０】
図１は、本発明によるデバイス間直接通信を行うシステムにおけるフレーム構造を示す。
図１に示すように、デバイス間直接通信システムのフレーム構造は、同期化区間１００、探索区間１１０、ページング区間１２０及びデータ送信区間１３０のような複数の区間で構成される。
【００２１】
前記同期化区間１００は、各デバイスが周辺デバイスとの同期を獲得する区間を意味する。
前記探索区間１１０は、同期化が行われた各デバイスが所定の時点で所定のリソースを介して自らのデバイス情報をブロードキャストし、周辺デバイスからブロードキャストされた情報を受信して周辺デバイスと情報を共有する区間を意味する。ここで、デバイス情報は、当該デバイスの識別情報、関心分野（ｉｎｔｅｒｅｓｔ）及びアプリケーションプログラム情報などを含む。本発明では、信号がブロードキャストされる前記探索区間１１０で前記自らのデバイス情報を送信する際、前記自らのデバイス情報にブロードキャスト指示情報を含めて送信することによって、周辺デバイスが前記デバイスのブロードキャストの有無を認知できるようにする。前記ブロードキャスト指示子は、データ送信区間の間にデータがブロードキャストされるか否かを示す。
【００２２】
前記ページング区間１２０は、デバイス間の一対一通信を行うためのＣＩＤを生成する区間を意味する。しかし、本発明で提案するように、データブロードキャストを行うデバイスは前記ＣＩＤを必要としないため、前記ページング区間１２０は省略できる。換言すれば、データブロードキャストを行おうとするデバイスは前記ページング区間１２０でＣＩＤを生成する段階を省略する。
【００２３】
前記データ送信区間１３０は、実際データを送受信する区間であって、本発明では、ブロードキャストのためのデータ送信区間とユニキャストのためのデータ送信区間とに区分する。すなわち、前記データ送信区間１３０がｍ個のデータ送信スロット１３０−１乃至１３０−ｍで構成された場合、前記ｍ個のデータ送信スロットのうち開始部分に位置するｎ個のデータ送信スロット１３０−１乃至１３０−ｎはブロードキャストのためのデータ送信区間に設定し、残りのデータ送信スロット１３０−ｎ+１乃至１３０−ｍはユニキャストのためのデータ送信スロットに設定できる。この時、前記ブロードキャストのためのデータ送信区間は、事業者又は設計者によって予め設定されなければならず、それぞれのデバイスが前記予め設定されたブロードキャストのためのデータ送信区間を予め知っておくべきであることは当然である。したがって、全てのデバイスは前記ブロードキャストのためのデータ送信区間の間に周辺デバイスからブロードキャストされるデータを受信するようになる。
【００２４】
特に、本発明によれば、前記ブロードキャストのためのデータ送信区間は、状況に応じて拡張可能である。すなわち、デバイスのデータブロードキャストに必要なリソースのサイズが前記予め設定されたデータ送信区間のリソースサイズより大きい場合、前記デバイスがブロードキャストデータ送信区間を拡張して使用できるようにする。上記のブロードキャストデータ送信区間の拡張のために、本発明では、ブロードキャストを行う各デバイスがリソースを拡張して使用するか否かを示す拡張情報をデータ送信区間の最先端の部分を介して送信するようにする。すなわち、図１に示すように、データ送信区間を構成する最初のデータ送信スロット１３０−１の開始部分１３１にブロードキャストリソース区間に対する拡張有無を示す拡張情報が送信されるようにし、その他の部分１３２に各デバイスのデータがブロードキャストされるようにする。
【００２５】
したがって、全てのデバイスは、ブロードキャストデータ送信区間で、前記拡張情報が送信される区間１３１の信号を必ず受信しなければならない。換言すれば、各デバイスのブロードキャストデータ送信区間の拡張有無によってユニキャストデータ送信区間が変更される場合があるので、各デバイスは前記拡張情報を受信してユニキャストデータ送信区間の開始位置を確認しなければならない。したがって、各デバイスは、前記ブロードキャストデータ送信区間のうち拡張情報が送信される区間の信号を受信してユニキャストデータ送信区間の開始位置を確認した後、必要に応じて、残りの区間を介してブロードキャストされるデータを受信しても良く、受信しなくても良い。
【００２６】
前記ブロードキャストデータリソース区間を拡張する際、拡張可能なリソースの最大サイズは制限されるべきであり、設計方式によって拡張可能なリソースのサイズは固定の場合もあり、可変の場合もある。例えば、各デバイスはブロードキャストデータ送信区間を予め設定されたサイズ単位だけ拡張して使用しても良く、必要なリソースサイズだけ拡張して使用しても良い。
【００２７】
さらに、前記デバイスは、前記データ送信区間で、前記拡張情報１３１が送信される区間にブロードキャストされるデータに関する追加的な情報を送信することもできる。ここで、ブロードキャストされるデータに関する追加的な情報は、ブロードキャストデータのタイプ又はカテゴリー情報であり得る。
【００２８】
また、本発明によれば、複数のデバイスが同時にデータをブロードキャストしようとする場合、前記ブロードキャストデータ送信区間１３０−１乃至１３０−ｎのリソースを複数に分けてそれぞれのデバイスが前記複数に分けられたリソースを順に使用できるようにする。ここで、各デバイスの順序は各デバイスの優先順位に従って決定されることができ、前記各デバイスの優先順位は様々な方式で設定されることができる。
【００２９】
例えば、前記各デバイスの優先順位は、前記探索区間１１０で各デバイスがブロードキャスト指示情報を送信したリソースのインデックスによって決定され得る。この時、前記複数のリソースに比べ前記データをブロードキャストしようとするデバイスの数が多い場合、本発明では、各デバイスの優先順位に従って複数のデバイスが前記複数のリソースを使用するようにした後、残りのデバイスは次のデータ送信区間を介してリソースを送信するようにする。
【００３０】
例えば、前記探索区間１１０とその次の探索区間の間には前記ページング区間１２０とデータ送信区間１３０とが繰り返して現れ得るので、現在、データ送信区間１３０に含まれたブロードキャストデータ送信リソースを割り当てられなかったデバイスは、次のページング区間（図示せず）以降のデータ送信区間（図示せず）に該当するリソースを割り当てられてデータをブロードキャストするようにする。
【００３１】
また、本発明によれば、複数のデバイスが同時にデータをブロードキャストしようとする場合、前記ブロードキャストデータ送信区間１３０−１乃至１３０−ｎのリソースを複数の端末に同時に使用させることができる。この場合、各デバイスは、特定のＩＤでデータをスクランブルしてブロードキャストする。この時、前記特定のＩＤは、前記探索区間１１０で各デバイスが自らの情報を送信する際に使用するＩＤであって、デバイスＭＡＣアドレス（ＭＡＣ  ａｄｄｒｅｓｓ）、デバイスＩＤ、デバイスで動作中のアプリケーションＩＤなどであり得る。したがって、他のデバイスは、探索区間１１０でブロードキャスト指示情報を介してブロードキャストを行うことを示したデバイスのＩＤを獲得することによって、前記ブロードキャストデータ送信区間１３０−１乃至１３０−ｎで、複数のデバイスから受信されるデータの中から所望のデバイスのデータを抽出できる。
【００３２】
また、本発明によれば、複数のデバイスが同時にデータをブロードキャストしようとする場合、前記ブロードキャストデータ送信区間１３０−１乃至１３０−ｎのリソースを複数に分けてそれぞれのデバイスが前記複数に分けられたリソースを順に使用できるようにする方式と前記ブロードキャストデータ送信区間１３０−１乃至１３０−ｎの同じリソースを複数の端末が同時に使用させることができるようにする方式とを混合して用いることができる。この時、より効率的なリソースの利用のために、前記複数に分けられたリソースを各デバイスが優先順位に従って順に利用する方式が前記同じリソースを複数の端末が同時に使用する方式に比べて高い優先順位を持つようにすることができる。
【００３３】
上記のように、複数のデバイスが同時にデータをブロードキャストしようとする場合、各デバイスは、自らと他のデバイスの優先順位を判断して上記のように予め約束された方式に従って、自らのブロードキャストデータ送信区間を確認することができる。
【００３４】
ここで、デバイスのデータブロードキャストは特定のデバイスではなく複数のデバイスにデータを送信し、送信されたデータに対する応答を必要としないため、特定のデバイスとのチャネル状態による変調方式の設定及び符号化率の決定のための段階及びＡＣＫ／ＮＡＣＫ送受信段階を必要としない。したがって、図１に示すように、ユニキャストデータ送信区間１３０−ｎ+１乃至１３０−ｍは、コネクションスケジューリング区間１３３、レートスケジューリング区間１３４、データ区間１３５及びＡＣＫ／ＮＡＣＫ区間１３６を含んで構成されるが、前記ブロードキャストデータ送信区間１３０−１乃至１３０−ｎは、コネクションスケジューリング区間及びレートスケジューリング区間及びＡＣＫ／ＮＡＣＫ区間を含まない。
【００３５】
では、上記のフレーム構造に基づいて各デバイスがデータをブロードキャストし、ブロードキャストデータを受信する場合について説明する。以下では、説明の便宜のために、下記図２は、データをブロードキャストするデバイスであると仮定し、下記図３は、ブロードキャストされるデータを受信するデバイスであると仮定して説明する。
【００３６】
図２は、本発明の実施形態によるデバイス間直接通信システムにおけるデバイスのブロードキャスト手順を示している。
【００３７】
上記図２を参照すると、前記デバイスは、ステップ２０１にて、周辺デバイスとの同期を獲得した後、ステップ２０３に進み、所定のリソースを介して自らのデバイス情報をブロードキャストし、周辺デバイスからブロードキャストされた情報を受信して周辺デバイスと情報を共有する探索段階を行う。この時、本発明によれば、前記デバイスは、データ送信区間でデータをブロードキャストするか否かを示すブロードキャスト指示情報を前記デバイス情報に含めてブロードキャストを行う。この時、前記デバイスは、周辺デバイスからブロードキャスト指示情報を含むデバイス情報を受信できることは勿論である。
【００３８】
以降、前記デバイスは、ステップ２０５にて、ブロードキャストデータ送信区間に対するリソース拡張の有無及び自らが使用するブロードキャストリソースを決定する。この時、前記デバイスは、自らがブロードキャストしようとするデータの送信に必要なリソースサイズと予め設定されたブロードキャストデータ送信区間のリソースサイズとを比較し、前記ブロードキャストデータの送信に使用するリソースを拡張するか否かを決定する。また、前記デバイスは、同じ時点でデータをブロードキャストしようとする周辺デバイスを考慮して、自らが使用するブロードキャストリソースを決定する。
【００３９】
例えば、前記デバイスは、同じ時点でデータをブロードキャストしようとする周辺デバイスが前記探索段階で占有したリソースのインデックスに基づいて前記周辺のブロードキャストデバイス及び自らの優先順位を決定し、決定された優先順位を考慮して使用リソースを決定できる。この時、前記デバイスは、予め設定されたリソース使用方式に従って自らの優先順位に対応するブロードキャストリソースを利用することを決定することができ、所定数の周辺ブロードキャストデバイスと同じブロードキャストリソースを利用することを決定できる。ここで、周辺デバイスと同じブロードキャストリソースを利用する場合、各デバイスは、予め設定されたＩＤでデータをスクランブルしてブロードキャストすべきである。
【００４０】
以降、前記デバイスは、ステップ２０７に進み、データ送信区間内の予め設定されたブロードキャストデータ送信区間を介して前記リソース拡張有無を示す情報を送信し、前記ブロードキャストデータ送信区間内の決定されたリソースを介してデータをブロードキャストする。この時、前記デバイスは、前記リソース拡張有無を示す情報を送信する区間で周辺デバイスからの信号を受信することができ、これにより、周辺デバイスのリソース拡張有無に関する情報を受信する。ここで、前記デバイスより優先順位の高い周辺デバイスがリソースを拡張することを示す情報をブロードキャストする場合、前記デバイスは、前記周辺デバイスのリソース使用状況を考慮して、自らが使用するブロードキャストリソースを再決定できる。
【００４１】
図３は、本発明の実施形態によるデバイス間直接通信システムにおけるデバイスのブロードキャストデータを受信する手順を示している。
【００４２】
上記図３を参照すると、前記デバイスは、ステップ３０１にて、周辺デバイスとの同期を獲得した後、ステップ３０３に進み、所定の時点及びリソースを介して自らのデバイス情報をブロードキャストし、周辺デバイスからブロードキャストされた情報を受信して周辺デバイスと情報を共有する探索段階を行う。この時、本発明によれば、前記デバイスは、データ送信区間でデータをブロードキャストするか否かを示すブロードキャスト指示情報を前記デバイス情報に含めてブロードキャストを行う。この時、前記デバイスは、周辺デバイスからブロードキャスト指示情報を含むデバイス情報を受信できることは勿論である。
【００４３】
以降、前記デバイスは、ステップ３０５にて、データ送信区間内の予め設定されたブロードキャストデータ送信区間を介して前記リソース拡張有無を示す情報及びブロードキャストされるデータを受信する。ここで、前記デバイスは、前記ブロードキャストデータ送信区間のうち拡張情報が送信される区間の信号を受信し、必要に応じて、前記データ送信区間を介してブロードキャストされるデータを受信しない場合もある。ここで、前記拡張情報が送信される区間の信号を受信する理由は、ユニキャストデータ送信区間の開始位置を判断するために前記拡張情報が必要であるからである。
【００４４】
以降、前記デバイスは、ステップ３０７に進み、前記拡張情報に基づいてユニキャストデータ送信区間の開始位置を確認し、本発明によるアルゴリズムを終了する。
【００４５】
図４は、本発明によるデバイス間直接通信システムにおけるデバイスのブロック構成を示している。
【００４６】
上記図４に示すように、デバイスは、制御部４００、受信部４１０、送信部４２０及びデュプレクサ４３０を含んで構成される。
【００４７】
制御部４００は、デバイスの全般的な動作を制御する。具体的には、前記制御部４００は、上記図１に示すフレーム構造によってデータをブロードキャストするための動作を制御及び処理する。
【００４８】
まず、制御部４００は、周辺デバイスとの同期を獲得した後、探索区間で周辺デバイスとのデバイス情報を交換するための機能を制御及び処理する。特に、制御部４００は、ブロードキャストを行うデータの存在有無によって前記探索区間の間にブロードキャスト指示情報を送受信するための機能を制御及び処理する。ここで、前記ブロードキャスト指示情報は、当該デバイスがデータ送信区間にデータをブロードキャストするか否かを示す情報を意味する。すなわち、前記制御部４００は、前記ブロードキャストを行うデータが存在する場合、データをブロードキャストすることを示すブロードキャスト指示情報を前記探索区間の間に周辺デバイスに送信し、前記ブロードキャストを行うデータが存在しない場合、データをブロードキャストしないことを示すブロードキャスト指示情報を前記探索区間の間に周辺デバイスに送信するように制御する。また、前記制御部４００は、周辺デバイスからブロードキャスト指示情報を受信するための機能を制御及び処理する。
【００４９】
また、前記制御部４００は、ブロードキャストリソース決定部４０２を含むことによって、複数のデバイスが同時にデータをブロードキャストしようとする場合、前記複数のデバイスそれぞれが利用するブロードキャストリソースを確認する。すなわち、前記制御部４００は、前記ブロードキャスト指示情報を介してデータブロードキャストを行うことを示したデバイスそれぞれが利用するブロードキャストリソースを確認する。ここで、前記制御部４００は、上記図１に示すように、データ送信区間をブロードキャストのためのデータ送信区間とユニキャストのためのデータ送信区間とに区分し、前記ブロードキャストデータ送信区間内で、予め設定された方式に従って、各デバイスのブロードキャストリソースを決定する。
【００５０】
例えば、前記制御部４００は、複数のデバイスが同時にデータをブロードキャストしようとする場合、予め設定された方式に従って、複数のデバイスが同じブロードキャストリソースを利用するようにブロードキャストリソースを決定することができ、前記複数のデバイスそれぞれの優先順位を考慮して順にブロードキャストリソースを決定することもできる。また、前記制御部４００は、前記複数のデバイスそれぞれの優先順位を考慮して順にブロードキャストリソースを使用する方式と前記複数のデバイスが同じリソースを使用する方式とを混合して用いることもできる。この時、前記制御部４００は、前記複数のデバイスが同じブロードキャストリソースを利用する場合、ブロードキャストされるデータを特定のＩＤでスクランブル処理して送信するための機能を制御及び処理する。また、前記制御部４００は、前記各デバイスがブロードキャスト指示情報を送信した時点を示すブロードキャスト指示情報送信リソースのインデックスを考慮して各デバイスの優先順位を決定できる。
【００５１】
また、前記制御部４００は、データブロードキャストに必要なリソースのサイズと前記予め設定されたデータ送信区間のリソースサイズとを比較し、前記データブロードキャストに必要なリソースのサイズが前記予め設定されたデータ送信区間のリソースサイズより大きい場合、前記ブロードキャストデータ送信区間を拡張して使用するための機能を制御及び処理する。この時、前記制御部４００は、ブロードキャストデータ送信区間の拡張のために、上記図１に示すように、リソースを拡張して使用するか否かを示す拡張情報がデータ送信区間の最先端の部分を介して送信されるように制御し、その他の区間に各デバイスのデータがブロードキャストされるように制御する。
【００５２】
また、前記制御部４００は、前記拡張情報が送信される区間で周辺デバイスからの信号を受信して周辺のブロードキャストデバイスのリソース拡張有無を確認し、前記ブロードキャストデータ送信区間を介して周辺デバイスからブロードキャストされるデータを受信するための機能を制御及び処理する。この時、前記制御部４００は、前記各デバイスのブロードキャストデータ送信区間拡張有無を考慮してユニキャストデータ送信区間を決定し、必要に応じて、周辺デバイスからブロードキャストされるデータを受信しても良く、受信しなくても良い。
【００５３】
また、前記制御部４００は、前記データ送信区間で前記拡張情報が送信される区間に当該ブロードキャストデータのタイプ（又はカテゴリー）情報などのようなブロードキャストされるデータに関する追加的な情報が送信されるように制御することもできる。
【００５４】
受信部４１０は、デュプレクサ４３０から周辺デバイスが送信したデータ及び制御情報メッセージを受信する。例えば、受信部４１０は、受信モデム４１４及びメッセージ処理部４１２を含んで構成される。
【００５５】
受信モデム４１４は、デュプレクサ４３０から提供された周辺デバイスが送信したデータ及び制御情報メッセージを基底帯域のデジタル信号に変換する。ここで、前記受信モデム４１４は、前記制御部４００の制御に応じて周辺デバイスから受信されたメッセージを探索段階で獲得した特定のＩＤでデスクランブル（ｄｅｓｃｒａｍｂｌｅ）処理できる。
【００５６】
メッセージ処理部４１２は、受信モデム４１４から提供されたデータ及び制御情報メッセージを分析して制御部４００に送信する。例えば、前記メッセージ処理部４１２は、周辺デバイスが探索段階で送信したメッセージからデバイス機器情報及びブロードキャスト指示情報を抽出して前記制御部４００に提供する。また、前記メッセージ処理部４１２は、データ送信区間で周辺デバイスから受信されたメッセージからリソース拡張有無を示す拡張情報及びブロードキャストデータを抽出して前記制御部４００に提供する。
【００５７】
送信部４２０は、周辺デバイスに送信するデータ及び制御情報を含むメッセージをデュプレクサ４３０に送信する。例えば、送信部４２０は、メッセージ生成部４２２及び送信モデム４２４を含んで構成される。
【００５８】
メッセージ生成部４２２は、制御部４００の制御に応じて周辺デバイスに送信するデータ及び制御情報を含むメッセージを生成する。例えば、メッセージ生成部４２２は、デバイス機器情報及びブロードキャスト指示情報を含むメッセージを生成し、リソース拡張有無を示す拡張情報及びブロードキャストデータを含むメッセージを生成する。
【００５９】
送信モデム４２４は、周辺デバイスに送信するメッセージを無線リソースを介して送信するように変換してデュプレクサ４３０に送信する。ここで、前記送信モデム４１４は、前記制御部４００の制御に応じて特定のＩＤを用いて前記拡張情報及びブロードキャストデータを含むメッセージをスクランブル処理できる。
【００６０】
デュプレクサ４３０は、デュプレックス方式に従って、送信部４２０から提供された送信信号をアンテナを介して送信し、アンテナからの受信信号を受信部４１０に提供する。
【００６１】
上記のように、本発明では、デバイス間直接通信システムで、周辺デバイスを探索する段階を介してブロードキャストの有無を知らせ、所定のリソース区間でブロードキャストを行うことによって、ブロードキャストのための別途のコネクションＩＤを生成する必要がないので、プロセスを簡素化するとともにオーバーヘッドを減少させることができ、これにより、システム全体の複雑度を減少させることもできる効果がある。
【００６２】
一方、本発明の詳細な説明では具体的な実施形態に関して説明したが、本発明の範囲から逸脱しない限度内で様々な変形が可能である。したがって、本発明の範囲は説明された実施形態に限定されて定められてはならず、後述する特許請求の範囲のみでなくこの特許請求の範囲と均等なものによって定められるべきである。
【符号の説明】
【００６３】
１００  同期化区間
１１０  探索区間
１２０  ページング区間
１３０  データ送信区間
１３０−１乃至１３０−ｍ  データ送信スロット
１３０−１乃至１３０−ｎ  ブロードキャストデータ送信区間
１３０−ｎ+１乃至１３０−ｍ  ユニキャストデータ送信区間
【図１】
2014527780.tif 000003
【図２】
2014527780.tif 000004
【図３】
2014527780.tif 000005
【図４】
2014527780.tif 000006
【国際調査報告】
2014527780.tif 000007
2014527780.tif 000008